(57)【要約】【課題】  アコースティックな楽音により近似した良質の楽音を得ることができるとともに、多種類の型式の電子楽器に共通して用いることができる電子楽器用のスピーカユニットを提供する。【解決手段】  電子楽器１に組み込まれ、演奏用の操作子２３ａの操作状態に基づいて生成された楽音信号に応じて、楽音を発生させる電子楽器用のスピーカユニット１であって、開口２ａを有するスピーカボックス２と、開口２ａに臨むようにスピーカボックス２内に一体に設けられた響板３と、響板３に設けられるとともに、楽音信号に応じて駆動され、響板３を振動させることによって、楽音を発生させる加振器８と、を備えている。【選択図】  図３
2008299169.tif 000002
【特許請求の範囲】
【請求項１】
電子楽器に組み込まれ、演奏用の操作子の操作状態に基づいて生成された楽音信号に応じて、楽音を発生させる電子楽器用のスピーカユニットであって、
開口を有するスピーカボックスと、
前記開口に臨むように前記スピーカボックス内に一体に設けられた響板と、
当該響板に設けられるとともに、前記楽音信号に応じて駆動され、前記響板を振動させることによって、楽音を発生させる加振器と、
を備えていることを特徴とする電子楽器用のスピーカユニット。
【請求項２】
前記スピーカボックスの前記開口を覆うカバーをさらに備えていることを特徴とする請求項１に記載の電子楽器用のスピーカユニット。
【請求項３】
前記響板と前記スピーカボックスの間に介在し、前記響板から前記スピーカボックスへの振動の伝達を抑制するためのダンパーをさらに備えていることを特徴とする請求項１または２に記載の電子楽器用のスピーカユニット。
【請求項４】
前記ダンパーは、前記響板の端部が嵌め込まれる取付け用凹部を有するとともに、当該取付け用凹部と反対側の部分において前記スピーカボックスの壁面に接しており、
前記スピーカボックスの壁面に沿って前記ダンパーに隣接し、前記壁面に固定された取付け部材と、
前記ダンパーおよび前記響板を介して前記取付け部材にねじ込まれ、前記響板を前記取付け部材に固定するねじと、
をさらに備えていることを特徴とする請求項３に記載の電子楽器用のスピーカユニット。
【請求項５】
前記ダンパーは、前記響板の端部が嵌め込まれる取付け用凹部と、前記スピーカボックスの壁面に沿って延びるねじ取付け用孔を有するとともに、当該取付け用凹部と反対側の部分において前記スピーカボックスの壁面に接しており、
前記ねじ取付け用孔に取り付けられた円筒状のブッシュと、
前記スピーカボックスの壁面に沿って前記ダンパーに隣接し、前記壁面に固定された取付け部材と、
前記ブッシュに通され、前記取付け部材にねじ込まれることによって、前記ダンパーを前記取付け部材に固定するねじと、
をさらに備えていることを特徴とする請求項３に記載の電子楽器用のスピーカユニット。
【発明の詳細な説明】
【技術分野】
【０００１】
本発明は、電子楽器に組み込まれ、演奏に伴って楽音を発生させる電子楽器用のスピーカユニットに関する。
【背景技術】
【０００２】
従来の電子楽器用のスピーカユニットとして、例えば特許文献１に開示されたものが知られている。このスピーカユニットは、スピーカボックスと、その内部に設けられたコーンスピーカなどを備えている。スピーカボックスの前板には開口が形成されている。コーンスピーカは、その放音面が開口に臨むように、前板の背面に取り付けられている。
【０００３】
また、スピーカボックスの背板は、振動板で構成されている。スピーカボックスの内壁面の後端部には、周方向の全体にわたって溝が形成されており、振動板は、その周縁部がこの溝に遊びをもって嵌め込まれた状態で、取り付けられている。この振動板は、アコースティックピアノの響板と同じ構成を有しており、木質材で構成されている。
【０００４】
このスピーカユニットでは、コーンスピーカが振動することにより楽音が発生する。また、コーンスピーカの振動が振動板に伝達され、振動板が溝内で振動することによって、振動板からも楽音が発生し、コーンスピーカで発生した楽音と複合される。このような複合音をスピーカユニットから放音することによって、アコースティックな楽音に近似した楽音を得られるようにしている。
【０００５】
しかし、振動板は、上述したように、コーンスピーカの振動に応じて間接的に振動するので、振動板が十分に振動することができず、十分な音量を確保できない。その場合、コーンスピーカで発生した楽音が、複合音の大部分を占めるので、その音質がアコースティックな楽音とは異なってしまう。
【０００６】
本発明は、上記のような課題を解決するためになされたものであり、アコースティックな楽音により近似した良質の楽音を得ることができるとともに、多種類の型式の電子楽器に共通して用いることができる電子楽器用のスピーカユニットを提供することを目的としている。
【０００７】
【特許文献１】特許第３７９５１３８号公報
【発明の開示】
【課題を解決するための手段】
【０００８】
上記の目的を達成するために、本願の請求項１に係るスピーカユニットは、電子楽器に組み込まれ、演奏用の操作子の操作状態に基づいて生成された楽音信号に応じて、楽音を発生させる電子楽器用のスピーカユニットであって、開口を有するスピーカボックスと、開口に臨むようにスピーカボックス内に一体に設けられた響板と、響板に設けられるとともに、楽音信号に応じて駆動され、響板を振動させることによって、楽音を発生させる加振器と、を備えていることを特徴とする。
【０００９】
このスピーカユニットは、電子楽器に組み込まれており、そのスピーカボックス内に響板が一体に設けられ、この響板には加振器が設けられている。電子楽器の演奏用の操作子が操作されると、その操作状態に基づいて楽音信号が生成されるとともに、この楽音信号に応じて加振器が駆動され、響板を振動させることによって、楽音が発生し、スピーカボックスの開口を介して放音される。
【００１０】
このように、加振器で響板を直接、振動させ、響板の面全体から楽音を放音するので、従来のように響板を間接的に振動させる場合と異なり、十分な広がりと音量を有する良質な楽音を得ることができる。また、響板および加振器がスピーカボックスに内蔵され、ユニット化されているので、このスピーカユニットを、多種類の型式の電子楽器に共通して用いることができる。その結果、響板および加振器から成る響板スピーカの設計や製造を、電子楽器の型式ごとに行う必要がなくなることによって、電子楽器の製造コストを削減することができる。
【００１１】
請求項２に係る発明は、請求項１に記載の電子楽器用のスピーカユニットにおいて、前記スピーカボックスの前記開口を覆うカバーをさらに備えていることを特徴とする。
【００１２】
この構成によれば、スピーカボックスの開口がカバーで覆われているので、例えば響板の表面に、その取付け用のねじなど、外観上好ましくない部品が存在する場合、そのような部品をカバーで容易に隠すことができ、電子楽器の外観を向上させることができる。あるいは、透明なカバーを用いた場合には、スピーカボックス内の響板などがカバーを透して外部から見えるので、響板に化粧仕上げを施すことなどにより、響板を意匠的に活用し、電子楽器の意匠性を高めることも可能である。
【００１３】
請求項３に係る発明は、請求項１または２に記載の電子楽器用のスピーカユニットにおいて、前記響板と前記スピーカボックスの間に介在し、前記響板から前記スピーカボックスへの振動の伝達を抑制するためのダンパーをさらに備えていることを特徴とする。
【００１４】
この構成によれば、響板の振動は、介在するダンパーで減衰された後、スピーカボックスを介して、電子楽器の本体ケースなどに伝達される。これにより、スピーカボックスや本体ケースの振動に起因するビリつき音などの雑音の発生が防止される。また、響板がスピーカボックスに剛結されていると、その振動が妨げられやすく、特に響板のサイズが小さい場合には、音量が不足しやすくなる。本発明によれば、響板がダンパーを介してスピーカボックスに取り付けられており、この取付け部における響板の振動が許容されるので、響板が十分に振動することで、十分な音量を確保することができる。
【００１５】
請求項４に係る発明は、請求項３に記載の電子楽器用のスピーカユニットにおいて、ダンパーは、響板の端部が嵌め込まれる取付け用凹部を有するとともに、取付け用凹部と反対側の部分においてスピーカボックスの壁面に密着しており、スピーカボックスの壁面に沿ってダンパーに隣接し、壁面に固定された取付け部材と、ダンパーおよび響板を介して取付け部材にねじ込まれ、響板を取付け部材に固定するねじと、をさらに備えていることを特徴とする。
【００１６】
この構成によれば、響板の端部がダンパーの取付け用凹部に嵌め込まれるとともに、ダンパーは、取付け用凹部と反対側の部分においてスピーカボックスの壁面に密着している。このように、ダンパーと響板の間、およびダンパーとスピーカボックスの壁面との間のいずれにも、隙間が存在しないので、スピーカボックスの密閉性を確保でき、それにより、スピーカユニットの音響特性を向上させることができる。
【００１７】
請求項５に係る発明は、請求項３に記載の電子楽器用スピーカユニットにおいて、ダンパーは、響板の端部が嵌め込まれる取付け用凹部と、スピーカボックスの壁面に沿って延びるねじ取付け用孔を有するとともに、取付け用凹部と反対側の部分においてスピーカボックスの壁面に密着しており、ねじ取付け用孔に取り付けられた円筒状のブッシュと、スピーカボックスの壁面に沿ってダンパーに隣接し、壁面に固定された取付け部材と、ブッシュに通され、取付け部材にねじ込まれることによって、ダンパーを取付け部材に固定するねじと、をさらに備えていることを特徴とする。
【００１８】
この構成によれば、前述した請求項４と同様、響板の端部がダンパーの取付け用凹部に嵌め込まれるとともに、ダンパーが、取付け用凹部と反対側の部分においてスピーカボックスの壁面に密着している。したがって、請求項４と同様、スピーカボックスの密閉性を確保し、スピーカユニットの音響特性を向上させることができる。
【００１９】
また、ダンパーは、そのねじ取付け用孔に取り付けたブッシュにねじを通し、取付け部材にねじ込むことによって、取付け部材に固定されている。すなわち、響板は、ダンパーのみに接し、他の構成部品とは接していないので、響板がさらに振動しやすくなり、より大きな音量を確保することができる。
【発明を実施するための最良の形態】
【００２０】
以下、図面を参照しながら、本発明の好ましい実施形態について詳細に説明する。図１は、本発明によるスピーカユニット１を組み込んだコンパクトタイプの電子ピアノ２１を示している。なお、以下の説明では、演奏者側から見たときのピアノの手前側を「前」、奥側を「後」として説明する。
【００２１】
同図に示すように、この電子ピアノ２１は、ピアノ本体２２、およびこれを支持するスタンドユニット３１を備えている。ピアノ本体２２の前部には、左右方向に並んだ多数の鍵２３ａから成る鍵盤２３が配置され、後部には、操作パネル２４が配置されている。操作パネル２４には、各種のスイッチ２４ａおよび表示器２４ｂなどが配置されている。スイッチ２４ａは、例えば、デモ演奏スイッチや音色選択スイッチなどで構成されている。
【００２２】
また、各鍵２３ａには、押鍵の有無および押鍵速度を、鍵２３ａの押鍵状態として検出する鍵スイッチ（図示せず）が設けられている。また、ピアノ本体２２には、ＣＰＵ、音源回路およびアンプなどで構成された楽音生成装置が設けられており（いずれも図示せず）、この楽音生成装置は、検出された鍵２３ａの押鍵状態に応じて、楽音信号を生成する。
【００２３】
スタンドユニット３１は、左右の脚板３２、３２および前記スピーカユニット１を有している。脚板３２、３２は、ピアノ本体２２の左右の端部から下方に延びている。スピーカユニット１は、ピアノ本体２２のすぐ下側において、脚板３２、３２の間に配置され、取り付けられている。
【００２４】
図２および図３に示すように、スピーカユニット１は、スピーカボックス２と、スピーカボックス２に内蔵された響板３および加振器８から成る響板スピーカ２０と、響板３をスピーカボックス２に取り付けるための響板取付け部１１などを備えている。スピーカボックス２は、左右の側板４、４、天板５、底板６および背板７によって横長に形成され、前端に開口２ａを有している。
【００２５】
響板取付け部１１は、スピーカボックス２の中央よりも若干前側に設けられており、スピーカボックス２の内壁面(以下、単に「内壁面」という)２ｂに取り付けられた付木１２と、この付木１２に取り付けられたダンパー１３などを有している。付木１２は、矩形の断面形状を有し、側板４、４、天板５および底板６に沿い、内壁面２ｂの周方向の全体にわたって延びており、例えば接着によって、スピーカボックス２に固定されている。
【００２６】
ダンパー１３は、例えば発泡ウレタンやゴムなどの弾性体で構成されている。図４に示すように、このダンパー１３は、付木１２の前側に隣接し、内壁面２ｂの周方向の全体にわたり、付木１２に沿って延びるとともに、内壁面２ｂに密着している。また、ダンパー１３には、その内周面の全体にわたって取付け用溝１３ａが形成されている。この取付け用溝１３ａの深さは、内壁面２ｂと直行する方向のダンパー１３の長さの２／３程度であり、この取付け用溝１３ａには、響板３の周縁部が嵌め込まれている。
【００２７】
響板３は、アコースティックピアノの響板と同様、例えばスプルスなどから成る複数のむくの板材を継ぎ合わせることによって、形成されている。また、響板３の前面には複数の響棒３ａが貼り付けられている。これらの響棒３ａは、響板３における振動の伝達速度を高めるためのものであり、互いに平行に斜めに延びている。
【００２８】
響板３およびダンパー１３は、複数の固定ねじ１４によって、付木１２に取り付けられている。複数の固定ねじ１４は、周方向の複数の所定位置において、ダンパー１３および響板３を貫通するとともに、付木１２にねじ込まれており、それにより、響板３は、ダンパー１３を介して付木１２に固定されている。以上の構成により、響板３は、ダンパー１３とともに、スピーカボックス２内に、これを密閉した状態で取り付けられるとともに、スピーカボックス２の開口２ａに臨んでいる。
【００２９】
また、響板３の背面の所定の位置には、加振器８が取り付けられている。この加振器８は、例えば電磁式のものであり、押鍵に伴い、楽音生成装置で生成された楽音信号が入力されることによって駆動され、楽音信号に応じて響板３を振動させる。それにより、押鍵された鍵２３ａに対応する音高、および押鍵速度に応じた音量の楽音が発生し、響板３の面全体から放音される。
【００３０】
また、スピーカボックス２の前部は、カバー９で覆われている。このカバー９は、例えばメッシュ状のものであり、スピーカボックス２の開口２ａを覆うことによって、その内部の響板３や固定ねじ１４などを隠す役割を果たす。
【００３１】
以上のように、本実施形態のスピーカユニット１によれば、加振器８で響板３を直接、振動させ、響板３の面全体から楽音を放音するので、従来のように響板を間接的に振動させる場合と異なり、十分な広がりと音量を有する良質な楽音を得ることができる。
【００３２】
また、スピーカボックス２の開口２ａがカバー９で覆われているので、固定ねじ１４など、外観上好ましくない部品をカバー９で容易に隠すことができ、電子ピアノ２１の外観を向上させることができる。
【００３３】
また、響板３の振動は、介在するダンパー１３で減衰された後、スピーカボックス２を介して、ピアノ本体２２などに伝達される。これにより、スピーカボックス２やピアノ本体２２の振動に起因するビリつき音などの雑音の発生を防止することができる。また、響板３がダンパー１３を介してスピーカボックス２に取り付けられており、この響板取付け部１１における響板３の振動が許容されるので、響板３が十分に振動することで、十分な音量を確保することができる。
【００３４】
また、ダンパー１３と響板３の間、およびダンパー１３と内壁面２ｂとの間のいずれにも、隙間が存在しないので、スピーカボックス２の密閉性を確保でき、それにより、スピーカユニット２の音響特性を向上させることができる。
【００３５】
図５は、前述した響板取付け部の変形例を示している。この変形例の響板取付け部１５では、前述したダンパー１３と比較して、内壁面２ｂと直行する方向のダンパー１６の長さが大きくなっているとともに、取付け用溝１６ａの深さは浅くなっている。また、ダンパー１６の内壁面２ｂ寄りの部分には、周方向の複数の所定位置に、内壁面２ｂと平行な複数のねじ取付け用孔１６ｂ（１つのみ図示）が形成されている。
【００３６】
各ねじ取付け用孔１６ｂにはブッシュ１７が取り付けられている。このブッシュ１７は、金属または樹脂で構成され、円筒状に形成されている。また、ブッシュ１７の両端部には、外方に突出するつば部１７ａ、１７ａが形成されている。このようなブッシュ１７は、ねじ取付け用孔１６ｂの壁面に密着した状態で、ダンパー１６に取り付けられている。また、固定ねじ１４は、このブッシュ１７に前方から通されるとともに、付木１２にねじ込まれている。それにより、ダンパー１６は、ブッシュ１７を介して付木１２に固定されている。
【００３７】
以上のように、この響板取付け部１５では、響板３は、ダンパー１６のみに接し、固定ねじ１４およびブッシュ１７とは接していない。したがって、この響板取付け部１５を用いることにより、響板３がさらに振動しやすくなり、より大きな音量を確保することができる。
【００３８】
図６は、前述したスピーカユニット１を、アップライト型の電子ピアノに組み込んだ例を示している。この電子ピアノ３１は、ピアノ本体３２と、ピアノ本体３２を支持するスタンドユニット３３などで構成されている。ピアノ本体３２およびスタンドユニット３３の左右の側面には、両者を覆うように、親板３４、３４がそれぞれ取り付けられている。
【００３９】
ピアノ本体３２の外装は、左右の腕木３５、３５と、腕木３５、３５の下端部間および上端部間にそれぞれ水平に延びる棚板３６および天板３７などで構成されている。ピアノ本体３２には、多数の鍵３９ａを有する鍵盤装置３９と、電子ピアノ３１の音色、音量や音響効果などを設定するための操作パネル４０などが設けられている。
【００４０】
スタンドユニット３３は、左右の妻土台３８、３８、左右の側板３９、３９（１つのみ図示）、ペダル土台４１、下前板４２、背板（図示せず）およびスピーカユニット１などにより、ボックス状に組み立てられている。スピーカユニット１は、ピアノ本体３２のすぐ下側において、左右の側板３９、３９の間に配置され、取り付けられている。また、ペダル土台４１は、妻土台３８、３８の間に設けられ、左右方向に延びており、その中央には、３つのペダル４６が設けられている。下前板４２および背板は、左右の側板３９、３９、ペダル土台４１およびスピーカユニット１で取り囲まれた空間の前端および後端をそれぞれ覆うように、設けられている。
【００４１】
以上のように、スピーカユニット１がユニット化されていることによって、スピーカユニット１を、アップライト型の電子ピアノ３１にも共通に用いることができる。その結果、響板３および加振器８から成る響板スピーカ２０の設計や製造を、電子ピアノの型式ごとに行う必要がなくなることによって、電子ピアノの製造コストを削減することができる。
【００４２】
なお、本発明は、上述した実施形態に限定されることなく、種々の態様で実施することができる。例えば、実施形態は、カバーとしてメッシュ状のものを用いた例であるが、例えば、響板に化粧仕上げを施すとともに、カバーを透明なアクリルなどで構成してもよく、それにより、響板を意匠的に活用し、電子ピアノの意匠性を高めることができる。また、この場合、カバーを省略してもよい。
【００４３】
さらに、実施形態は、本発明によるスピーカユニットを、電子ピアノに組み込んだ例であるが、他のタイプの電子楽器、例えば、パーカッション型の電子楽器などに適用してもよいことはもちろんである。その他、細部の構成を、本発明の趣旨の範囲内で適宜、変更することが可能である。
【図面の簡単な説明】
【００４４】
【図１】本発明によるスピーカユニットを組み込んだコンパクトタイプの電子ピアノを示す斜視図である。
【図２】図１のスピーカユニットを示す斜視図である。
【図３】図２の線Ａ−Ａに沿う断面図である。
【図４】響板取付け部を示す部分拡大断面図である。
【図５】響板取付け部の変形例を示す部分拡大断面図である。
【図６】図２のスピーカユニットを組み込んだアップライト型の電子ピアノを示す斜視図である。
【符号の説明】
【００４５】
１    スピーカユニット
２    スピーカボックス
２ａ  開口
３    響板
８    加振器
９    カバー
１２    付木（取付け部材）
１３    ダンパー
１３ａ  取付け用溝（取付け用凹部）
１４    固定ねじ（ねじ）
１６    ダンパー
１６ａ  取付け用溝（取付け用凹部）
１６ｂ  ねじ取付け用孔
１７    ブッシュ
２１    電子ピアノ（電子楽器）
２３ａ  鍵（操作子）
３１    電子ピアノ（電子楽器）
３９ａ  鍵（操作子）
【図１】
2008299169.tif 000003
【図２】
2008299169.tif 000004
【図３】
2008299169.tif 000005
【図４】
2008299169.tif 000006
【図５】
2008299169.tif 000007
【図６】
2008299169.tif 000008